(57)【要約】本発明は、管状エンベロープを有する放電ランプに係り、エンベロープの２つの端部のうち少なくとも一方の近くに電極を有する。電極の軸は、管状エンベロープの軸に対して実質的に垂直に方向付けられる。２つのピンチリードワイヤの端部は、電極の端部に対して接続され、各ピンチリードワイヤの一部分は、エンベロープの材料において組み込まれる。電極は、管状エンベロープの端部に対してエンベロープの材料において組み込まれるピンチリードワイヤの一部より近く位置決めされ、結果として、エンベロープの略端部まで均質な光の放射をもたらす。
2008507814.tif 000002
【特許請求の範囲】
【請求項１】
管状エンベロープを有する放電ランプであって、
前記エンベロープの２つの端部のうち少なくとも一方の近くに電極を有し、
前記電極の軸は、前記管状エンベロープの軸に対して実質的に垂直であり、２つのピンチリードワイヤの端部は、前記電極の前記端部に対して接続され、各ピンチリードワイヤの一部分は、前記エンベロープの材料において組み込まれ、
前記電極は、前記管状エンベロープの前記端部に対して前記エンベロープの前記材料において組み込まれる前記ピンチリードワイヤの一部より近くに位置決めされる、ことを特徴とする、
ランプ。
【請求項２】
前記ピンチリードワイヤの前記組み込まれる部分の各々の少なくとも一部は、前記エンベロープの前記軸に対して平行である平面において実質的に位置決めされ、
前記電極の前記軸は、前記平面に対してある角度において方向付けられる、ことを特徴とする、
請求項１記載のランプ。
【請求項３】
前記角度は、１０°又はそれ以上、望ましくは４０°又はそれ以上、より望ましくは約９０°である、ことを特徴とする、
請求項２記載のランプ。
【請求項４】
前記電極は、コイル状電極である、ことを特徴とする、
請求項１乃至３のうちいずれか一項記載のランプ。
【請求項５】
前記２つのピンチリードワイヤの前記組み込まれる部分の各々の少なくとも一部は、前記管状エンベロープの前記軸に対して実質的に平行に方向付けられるか、あるいは、前記軸と４５°より小さい角度をなし、
前記組み込まれる部分を有する前記エンベロープ内の各ピンチリードワイヤの前記部分は、９０°より小さい角度において、望ましくは８０°又はそれより小さい角度において湾曲される、
請求項１乃至４のうちいずれか一項記載のランプ。
【請求項６】
各ピンチリードワイヤの湾曲される部分はまた、前記エンベロープの前記材料において組み込まれ、前記部分は、前記電極と前記エンベロープの前記円筒状の壁との間に位置決めされる、ことを特徴とする、
請求項５記載のランプ。
【請求項７】
前記管状エンベロープは、実質的に管状壁と、前記管状壁の端部に対して接続される２つの端壁とを有し、
端壁の材料の２つの突起は、前記電極と前記管状壁との間で延在する、ことを特徴とする、
請求項１乃至６のうちいずれか一項記載のランプ。
【発明の詳細な説明】
【技術分野】
【０００１】
本発明は、エンベロープの２つの端部のうち少なくとも一方の近くに電極を有する管状エンベロープを有する放電ランプに係る。電極の軸は、管状エンベロープの軸に対して実質的に垂直に方向付けられ、２つのピンチリードワイヤの端部は、電極の端部に対して接続され、各ピンチリードワイヤの一部分は、エンベロープの材料において組み込まれる（ｅｍｂｅｄｄｅｄ）。
【背景技術】
【０００２】
２つのピンチリードワイヤの各々の他端は、接続ピンを有する。かかる他端は、管状エンベロープの外側に達するため、接続ピンは、ランプの外側で延在し、エンベロープにおける電極に対して電流を供給するよう対応する電気接点に対して接続され得る。電極は、タングステンワイヤであり得、該ワイヤは真っ直ぐであり得るか、又は多少湾曲され得る。望ましくは、ワイヤはコイル巻きされるため、電極はコイル状である。電極は、軸に沿って延在し、該軸は、コイル状電極の場合、コイルの軸である。
【０００３】
特には、ランプは、低圧水銀放電ランプであり、管状エンベロープは、透明なガラスを有して作られる。管状エンベロープは、真っ直ぐであり得るか、湾曲され得る。一般的に、エンベロープは、実質的に円筒状の壁、及び該円筒状壁の各端において端部を有する。該端部は、密封されたエンベロープを形成するよう円筒状壁に対して接続される。円筒状壁の材料及び端部の材料は同一であり得、特にはガラスであり得る。ランプの端部の外側は、異なる材料を有するカバーによって覆われ得、該材料において前出の接続ピンが固定され得る。
【０００４】
かかる放電ランプは、ＵＳ−Ａ−４３１７０６６（特許文献１）において開示され、文献中、電極はコイル状である。該文献は、ランプを記載する。ピンチリードワイヤの組み込まれる部分は、互いに対して、またエンベロープの軸に対して平行に位置付けられ、接続ピンは、管状エンベロープの端部のカバーにおいて固定される。特許文献１はまた、前出の組み込まれる部分が相互に同軸であり、エンベロープの軸に対して垂直に方向付けられるところのランプを記載する。したがって、接続ピンは、ピンチリードワイヤの真っ直ぐな組み込まれた部分である。後者に記載されたランプは、その全長に沿って改善された均質な照明出力を有するため、即ち、該ランプは光の放射が低減されるところのより短い端部を有するため、最初に記載されたランプの改善として説明される。
【０００５】
ランプのエンベロープの大部分の長さに沿ったランプによる均質な照明は、ランプがバックライティングに対して又は複写機におけるランプとして使用される場合等の、特定の適用に対して使用される場合に有利である。かかる適用において、より少ない光を放射するランプの管状エンベロープの端部を収容する空間は、常にあるわけではない。したがって、より少ない光を放射するランプの端部を短縮することが望まれ得る。
【０００６】
ランプの端部は、電極及びピンチリードワイヤを収容しなければならず、したがってエンベロープの長さの一部分は、光の放射に対して完全には使用され得ない。特には、エンベロープの端部における一定の長さは、ピンチリードワイヤの組込み部分を収容するよう求められる。したがって、ピンチリードワイヤは、ランプのエンベロープの端部から一定の距離においてエンベロープ内部の空間に入る。
【０００７】
かかるより少なく放射するランプの端部を短縮するよう、特許文献１は、２つのピンチリードワイヤの組込み部分を互いに対して同軸上に、且ついずれもエンベロープの軸に対して垂直に位置付けることを提案する。該組込み部分は、接触ピンである。しかしながらその結果、該接続ピンは、エンベロープの材料において適切に組み込まれるよう、エンベロープの端部から離れて位置決めされなければならない。更には、２つのピンチリードワイヤの端部の間の距離はエンベロープの円筒状壁の内径より更に小さいため、電極を収容するよう円筒状壁の全内径を活用することは、可能ではない。他の不利点は、かかるピンチリードワイヤの位置が、ランプの電気接続ピンの標準的な位置から外れた異なる位置を不必要にもたらす、ことであり得る。
【特許文献１】ＵＳ−Ａ−４３１７０６６
【発明の開示】
【発明が解決しようとする課題】
【０００８】
本発明は、より少ない光を放射するランプの端部が比較的短く、及び／又は、実質的にエンベロープの円筒状壁の内壁の全内径が電極を収容するよう活用され得る、管状エンベロープを有する放電ランプを目的とする。
【課題を解決するための手段】
【０００９】
かかる目的を達成するよう、電極は、管状エンベロープの端部に対してエンベロープの材料において組み込まれるピンチリードワイヤの一部より近くに位置決めされる。その結果、接続ピンから電極までのピンチリードワイヤの経路は湾曲され、それによって電極の近くでは該経路は、エンベロープの端部に向かって方向付けられる。したがって、電極は、エンベロープの端部に対してピンチリードワイヤの部分より近くに位置付けられ得る。
【００１０】
望ましい一実施例では、ピンチリードワイヤの前出の組込み部分の各々の少なくとも一部は、実質的にエンベロープの軸に対して平行である平面において位置決めされ、電極の軸は該平面、即ちピンチリードワイヤの組込み部分の前出の部分を有する平面に対してある角度において方向付けられ、またランプの管状エンベロープの軸に対して平行に位置付けられる。望ましくは、前出の平面は、エンベロープの軸を有する。
【００１１】
ランプの管状エンベロープが湾曲される場合、前出の軸は、エンベロープの端部の軸である。電極の端部に対して接続されるよう、エンベロープ内の各ピンチリードワイヤの部分、又はピンチリードワイヤの組込み部分の一部は、電極の端部に向かって湾曲される。望ましくは、電極は、コイル状電極である。
【００１２】
望ましい一実施例では、前出の角度は、１０°又はそれ以上、望ましくは４０°又はそれ以上であり、より望ましくは該角度は、約９０°である。電極の軸は、ピンチリードワイヤの組込み部分を有する前出の平面に対して実質的に垂直であるよう、また管状エンベロープの軸に対して平行であるよう方向付けられる。
【００１３】
一実施例では、２つのピンチリードワイヤの前出の組込み部分の各々の少なくとも一部は、管状エンベロープの軸に対して実質的に平行に方向付けられるか、あるいは該軸と４５°より小さい角度をなし、望ましくは、前出の組込み部分を有するエンベロープ内の各ピンチリードワイヤの部分は、９０°より小さい角度において（即ち、鋭角）、より望ましくは８０°又はそれより小さい角度において湾曲される。したがって電極は、管状エンベロープの端部に対してピンチリードワイヤの湾曲部分より近くに位置付けられ得るため、エンベロープの最大部分に沿った均質な光の放射が得られ得る。この実施例では、電極は、管状エンベロープの端壁に対して位置決めされ得、従ってピンチリードワイヤの前出の部分は、同一の端壁において組み込まれる。
【００１４】
望ましい一実施例では、各ピンチリードワイヤの湾曲部はまた、エンベロープの材料において組み込まれ、該部分は、電極とエンベロープの円筒状（管状）の壁との間に位置決めされる。この実施例では、前出の湾曲部が組み込まれるところの材料は、電極を部分的に取り囲むシールドを形成する。該シールドは、ランプのエンベロープの端部近くでの円筒状壁の暗化を低減する。かかる暗化は、ランプの作動中、電極からの材料の蒸発又はスパッタリングによって引き起こされる。
【００１５】
ランプにおいては、管状エンベロープは、実質的に管状（円筒状）の壁と、管状壁の端部に対して接続される２つの端壁とを有する。望ましくは、端壁の材料の２つの突起は、電極と管状壁との間に延在する。端壁と電極との間の比較的短い距離により、端壁から延在する比較的小さな突起は、電極とランプのエンベロープの管状壁との間でシールドを形成し、管状壁の暗化が低減される。
【発明を実施するための最良の形態】
【００１６】
本発明はこれより、低圧水銀放電ランプの２つの実施例の説明を用いてより明らかにされ、概略的である図が参照される。該ランプは、エンベロープの２つの端部の少なくとも一方の近くにコイル状電極を有する管状エンベロープを有する。
【００１７】
図１は、ランプのエンベロープの一端の近くでの半径方向の平面において断面図で放電ランプの第１の実施例を示す。エンベロープの円筒状壁１は、エンベロープ内の密封された空間２を取り巻く。コイル状電極４は、エンベロープの端壁３の前方にある。コイル状電極４の軸５は、図面の半径方向の平面において位置付けられる。円筒状壁１及び端壁３は、透明なガラスを有して作られ、ランプのエンベロープを形成するよう共に密封される。
【００１８】
端壁３は、ランプのエンベロープ内の密封された空間２において延在する２つの突起６を備えられる。一方の突起６は、図２中に示される通り、電極４と円筒状壁１との間でコイル状電極４の各側部において存在する。２つのピンチリードワイヤ７は、コイル状電極４を通電するよう存在し、各ピンチリードワイヤ７の端部は、コイル状電極４の端部に対して接続される。ピンチリードワイヤ７の他端は、接続ピン８を有する。２つの接続ピン８は、カバー９において固定され、カバー９は、ランプのエンベロープの端部に対して接着剤を用いて取り付けられる。２つの接続ピン８は、ランプの外側に延在し、ランプの接続金具（ランプホルダ）の電気接点に対して接続され得、コイル状電極は通電され得る。
【００１９】
ピンチリードワイヤ７の一部は、エンベロープの端壁３及び突起６の材料において組み込まれる。該部分は、端壁３及び突起６の材料が透明なガラスであるため、図２及び図３中において可視である。ピンチリードワイヤ７の組み込まれた真っ直ぐな部分１０は、管状エンベロープの軸、即ち円筒状壁１の軸に対して平行に位置付けられる。他の組み込まれる部分は、コイル状電極４の端部に向かって湾曲される。突起６のピンチリードワイヤ７の外部分は、更に湾曲され、電極４の端部と接続され得る。その結果、全体的な湾曲は、９０°より小さい角度（鋭角）を有する。したがって、コイル状電極４は、ランプのエンベロープの端壁３の近くに位置決めされ得る。
【００２０】
ピンチリードワイヤ７の組み込まれる真っ直ぐな部分１０は、実質的にエンベロープの軸、即ち円筒状壁１の軸も有する平面において位置決めされる。該平面は図２中の平面であり、図１中の平面に対して垂直に位置付けられ、図１中の線１１を有する。この第１の実施例では、コイル状電極４の軸５は、前出の平面に対して垂直に方向付けられ、コイル状電極４は、ピンチリードワイヤ７の２つの組み込まれる真っ直ぐな部分１０の間に位置決めされ得る。また更には、電極４は、エンベロープ１の円筒状壁１の内径の略全体にわたって延在し得る。
【００２１】
図４は、ランプの第２の実施例を示す。図４は、ランプのエンベロープの円筒状壁１６の端部近くで、接続ピン１７の位置における軸方向の平面を介する断面図である。この第２の実施例では、２つの接続ピン１７は、それらの共通の軸１８上の同軸上に位置付けられ、円筒状壁１６の外側に延在し、ランプの接続金具（ランプホルダ）の対応する電気接点と接触し得る。２つの接続ピン１７は、ピンチリードワイヤ１９の組み込まれる部分を有する。コイル状電極１５の軸は、線２０を有して示される。
【００２２】
このランプの第２の実施例では、ピンチリードワイヤの２つの組み込まれる部分（即ち２つの接続ピン１７）、及び円筒状壁１６の軸を有する平面は、図４中の平面に対して垂直に延在し、線１８を有する。コイル状電極１５の軸２０は、該平面に対して約４５°の角度において方向付けられ、したがってコイル状電極１５の長さは、円筒状壁１６の内径と略同じ長さであり得る。
【００２３】
図５は、線Ｖ−Ｖに沿った断面図であり、コイル状電極１５が接続ピン１７よりランプの管状エンベロープの端壁２１に対して近くに位置決めされる、ことを示す。従って、ピンチリードワイヤ１９は、接続ピン１７から電極１５の端部まで下方向に湾曲される。
【００２４】
上述された管状放電ランプの２つの実施例は、単なる例であり、多くの他の実施例が可能である。
【図面の簡単な説明】
【００２５】
【図１】ランプの半径方向の平面における断面図である。
【図２】図１中の線ＩＩ−ＩＩに従った断面図である。
【図３】図１中の線ＩＩＩ−ＩＩＩに従った断面図である。
【図４】ランプの第２の実施例の半径方向の平面における断面図である。
【図５】図４中の線Ｖ−Ｖに従った断面図である。
【図１】
2008507814.tif 000003
【図２】
2008507814.tif 000004
【図３】
2008507814.tif 000005
【図４】
2008507814.tif 000006
【図５】
2008507814.tif 000007